(57)【要約】  【課題】  別体のバッフルプレートを設けることなく油面の撹拌を防止する。  【解決手段】  クランクシャフト３の下方に配置されるバランサ１が、気筒列方向に沿って互いに平行に配置される２本のバランサシャフト１６ａ，１６ｂと、両バランサシャフト１６ａ，１６ｂを回転可能に狭持するアッパバランサハウジング５ａ及びロアバランサハウジング５ｂと、を有する。アッパバランサハウジング５ａに、オイルパン４の深底部の上方を覆うように機関水平方向に沿う薄膜状のバッフルプレート部３０を一体的に形成する。  【選択図】  図５
2006329064.tif 000002
【特許請求の範囲】
【請求項１】
内燃機関のクランクシャフトの下方に配置されるバランサを備える内燃機関の振動低減装置において、
上記バランサが、気筒列方向に沿って互いに平行に配置され、クランクシャフトに連動して回転する２本のバランサシャフトと、これらバランサシャフトを回転可能に支持するバランサハウジングと、を有し、
上記バランサハウジングに、オイルパンの機関前寄りに配置される深底部の上方を覆うように機関水平方向に沿う薄膜状のバッフルプレート部が一体的に形成されていることを特徴とする内燃機関の振動低減装置。
【請求項２】
上記バランサが、内燃機関の回転起振力の中心と略同一機関前後方向位置にバランサウエイトの回転起振力の中心を配置したセンターバランサであることを特徴とする請求項１に記載の内燃機関の振動低減装置。
【請求項３】
上記バランサハウジングが、上記バランサシャフトの周囲に配置され、機関上下方向に沿う複数のボルトボス部を有し、
上記バッフルプレート部が上記ボルトボス部の外周に一体的に接続しており、かつ、上記バッフルプレート部の機関幅方向最外縁部上に上記ボルトボス部の機関幅方向最外周部が配置されていることを特徴とする請求項１又は２に記載の内燃機関の振動低減装置。
【請求項４】
上記バッフルプレート部が、最も機関後側に位置するボルトボス部よりも機関後方側へ延びる後側延長部を有していることを特徴とする請求項３に記載の内燃機関の振動低減装置。
【請求項５】
上記バランサハウジングが、バランサシャフトの外周を囲う略円筒形のシャフト収容部を有し、
上記バッフルプレート部が、上記シャフト収容部の頂部より機関幅方向最外縁部まで略水平に延在する平坦な天板部を有していることを特徴とする請求項１〜４のいずれかに記載の内燃機関の振動低減装置。
【請求項６】
上記バランサハウジングには、上記天板部の下方でシャフト収容部との間に油排出窓が形成されていることを特徴とする請求項５に記載の内燃機関の振動低減装置。
【請求項７】
上記バランサハウジングには、２つのシャフト収容部の間に油落とし穴が形成されていることを特徴とする請求項５又は６に記載の内燃機関の振動低減装置。
【発明の詳細な説明】
【技術分野】
【０００１】
本発明は、内燃機関のクランクシャフト下方にバランサが配置された振動低減装置の改良に関する。
【背景技術】
【０００２】
例えば特許文献１に記載されているように、直列多気筒内燃機関では、内燃機関のクランクシャフトを含む主運動系の回転二次振動成分を低減・相殺するために、クランクシャフト下方のクランクケースやオイルパンの内部にバランサが収容・配置されている。
【特許文献１】特開２００３−２０１９１２号公報
【発明の開示】
【発明が解決しようとする課題】
【０００３】
クランクケース内部では、クランクシャフトの回転による風圧、圧力変動等によりオイルパン内に貯留された機関油（潤滑油・作動油）の油面が撹拌されてクランクシャフトと干渉すること等によってクランクシャフトの回転抵抗や回転変動を増大させて、機関出力低下や油中にエアレーションの発生を招くおそれがある。この対策としてクランクシャフトと油面間の高さ方向の距離を十分に大きく確保すると、内燃機関の大型化や油量の低下等を招くおそれがある。
【０００４】
シリンダブロック下面にカセット式のバランサを搭載した内燃機関では、バランサがクランクシャフトと油面との間に介在することとなり、その分、上述したような油面の撹拌等を抑制することができる。しかしながら、従来の一般的なバランサは、オイルパンの開口面積（オイルパン深底部の機関水平方向の面積）に対して小さく、上記問題を十分に解決できるものではない。特に、バランサの回転起振力の中心が内燃機関の主運動系の回転起振力の中心に対して機関前寄りにオフセットしている、いわゆるフロントオフセット式のバランサでは、バランサの機関前後方向寸法が比較的短く、かつ、バランサが機関前寄りに非常に偏った配置となるために、オイルパン深底部に対するバランサの面積がかなり小さいものとなる。オイルパン深底部の上方をほぼ完全に塞ぐためには、別体のバッフルプレートを追加し、これをオイルパンやクランクケースあるいは上記特許文献１のようにバランサ等に固定することが考えられるが、部品点数の増加、製造工数の増加やコストの増加等を招くおそれがある。また、オイルパンの浅底部を拡大して深底部を相対的に小さくすることも考えられるが、この場合、油量の低下や油面高さ（深さ）に制約を生じ、例えば油面深さの増加により機関全高の増加を招くおそれがある。
【０００５】
本発明は、このような課題に鑑みてなされたものであって、クランクシャフトの下方に配置されるバランサを利用して、別体のバッフルプレートを敢えて必要とすることのない簡素な構造でありながら油面の撹拌等を有効に防止できる新規な内燃機関の振動低減装置を提供することを主たる目的としている。
【課題を解決するための手段】
【０００６】
内燃機関のクランクシャフトの下方に配置されるバランサを備える。このバランサは、気筒列方向に沿って互いに平行に配置され、クランクシャフトに連動して回転する２本のバランサシャフトと、これらバランサシャフトを回転可能に支持するバランサハウジングと、を有している。上記バランサハウジングに、オイルパンの機関前寄りに配置される深底部の上方を覆うように機関水平方向に沿う薄膜状のバッフルプレート部が一体的に形成されている。
【発明の効果】
【０００７】
本発明によれば、オイルパンの深底部の上方を覆うバッフルプレート部がバランサハウジングに一体的に形成されているので、別体のバッフルプレートを敢えて必要としない簡素な構造でありながら、バランサハウジングに一体形成されたバッフルプレート部により油面の撹拌を有効に防止し、機関出力の向上及び油中エアレーションの発生を抑制することができる。
【発明を実施するための最良の形態】
【０００８】
以下、図１〜８を参照して、本発明に係る内燃機関の振動低減装置の好ましい実施例を詳細に説明する。図１は、バランサ１及びオイルパンアッパ４を組立状態で示す上面図であり、図２及び図３は、クランクシャフト３、ブロックロア１５及びバランサ１を組立状態で示しており、図４及び図５は、図２や図３の構成に更にオイルパンアッパ４及びブロックアッパ１４を含めた組立状態を示しており、図６〜８は、バランサ１を単体で示している。
【０００９】
図４にも示すように、この内燃機関は、機関前方（図４の左方）側より４つの＃１〜＃４シリンダ（気筒）が直列に配置された直列４気筒型であり、そのシリンダ軸線が鉛直方向（図４の上下方向）に沿う姿勢で車両に搭載される。シリンダブロックは、ピストンが昇降可能に嵌合する上記の＃１〜＃４シリンダが形成されたブロックアッパ１４と、このブロックアッパ１４の下面に固定されるブロックロア１５と、により構成され、両者１４，１５によりクランクシャフト３が回転可能に挟持される。
【００１０】
ブロックロア１５の下方には、機関油（潤滑油・作動油）を貯留するオイルパン（４）が設けられている。このオイルパンは、構造的には、ブロックロア１５の下面に固定されるオイルパンアッパ４と、このオイルパンアッパ４の下面に形成された開口部２１の周縁フランジ部に固定されるオイルパンロア（図示省略）とにより構成される。また、オイルパンには、機能的には、機関前寄りに深底部２２が設けられるとともに、機関後寄りに浅底部２３が設けられている。深底部２２は、上記の開口部２１を通して連通するアイルパンアッパ４の機関前側部分とオイルパンロアとにより構成されており、この深底部２２に機関油が貯留される。浅底部２３は、オイルパンアッパ４の機関後方側に形成されており、その底面２４が標準的な油面高さである規定油面２５よりも機関上方に設定されている。従って、浅底部２３に滴下した機関油はその底面２４を経て深底部２２へ戻されるようになっている。
【００１１】
クランクシャフト３の下方のオイルパンやクランクケースの内部には、クランクシャフト３を含む主運動系の回転二次振動成分を低減・相殺するためのカセット式のバランサ１が設置されている。このバランサ１は、バランサウエイト１９ａ，１９ｂが形成された２本のバランサシャフト１６ａ，１６ｂと、両バランサシャフト１６ａ，１６ｂを回転可能に支持するバランサハウジング５と、を有している。バランサハウジング５は、両バランサシャフト１６ａ，１６ｂを回転可能に狭持するアッパバランサハウジング５ａ及びロアバランサハウジング５ｂにより構成され、両バランサシャフト１６ａ，１６ｂは、気筒列方向に沿って互いに平行に配置されている。図３にも示すように、一方の駆動側バランサシャフト１６ａの前端にはバランサ駆動スプロケット７が固定され、クランクシャフト３の前端にはクランクスプロケット３ａが固定され、これらスプロケット７，３ａに無端状のチェーン８が巻き掛けられており、このチェーン８を介してクランクシャフト３の回転動力が駆動側バランサシャフト１６ａに伝達される。従動側バランサシャフト１６ｂは反転ギア９ａ，９ｂ（図７及び図８参照）を介して駆動側バランサシャフト１６ａから回転動力が伝達される。両バランサシャフト１６ａ，１６ｂはクランクシャフト３の二倍の速度で互いに逆方向に回転するように、上記スプロケットやギアの歯数等が設定されている。バランサハウジング５は複数のバランサ締結ボルト１８ａ〜１８ｆによってブロックロア１５の下面に締結・固定されており、かつ、アッパバランサハウジング５ａとロアバランサハウジング５ｂとが複数のハウジング締結ボルト１７ａ〜１７ｈにより締結・固定されている。
【００１２】
バランサハウジング５を構成するアッパバランサハウジング５ａ及びロアバランサハウジング５ｂは、それぞれ金属材料により一体的に鋳造されるもので、バランサシャフト１６ａ，１６ｂの外周を囲う略円筒形状のシャフト収容部２ａ，２ｂと、バランサ締結ボルト１８ａ〜１８ｆが挿通する略円筒形状のボルトボス部１１ａ〜１１ｆと、を有している。そして本実施例では、アッパバランサハウジング５ａに、オイルパン深底部２２をほぼ全面にわたって覆うように機関水平方向に沿う薄膜状のバッフルプレート部３０が一体的に形成されている。詳しくは、図１に示すように、アッパバランサハウジング５ａの外縁部は、オイルパンアッパ４側の構成要素との干渉を回避するための幾つかの凹部２０を除き、上面視でオイルパン深底部２２のほぼ全面を覆う略長方形状をなしており、オイルパンアッパ４の外壁部に形成されたボルトボス部４ａの直ぐ内側に僅かな隙間を介して近接して配置されている。
【００１３】
このバランサ１は、バランサウエイト１９ａ，１９ｂが位置するバランサ回転起振力の中心位置２６（図４参照）が、内燃機関の主運動系の回転起振力の中心、つまり内燃機関の中心位置２７（図１参照）に対して、機関前後方向でほぼ同一位置に配置された、いわゆるセンターバランサとなっている。より具体的には、図４に示すように、直列４気筒の機関前後方向のほぼ中央に配置される＃２シリンダと＃３シリンダの間の主軸受部２８の直下位置にバランサ中心２６が配置されている。このため、バランサ１が機関前後方向で＃１シリンダから機関中心２７を跨いで＃３シリンダの途中までの幅広い領域にわたって延在することとなる。
【００１４】
図７及び図８を参照して、小型・軽量化を図るために、従動側バランサシャフト１６ｂは、前端にスプロケット７が設けられた駆動側バランサシャフト１６ａに比して、前寄りの部分３４が省略され、短縮化されたものとなっている。この関係で、駆動側シャフト１６ａには、バランサハウジング５に回転可能に支持されるジャーナル部が前側ジャーナル部６ｅ，中間ジャーナル部６ｃ及び後側ジャーナル部６ａの三箇所に設けられているのに対し、従動側シャフト１６ｂには、ジャーナル部が中間ジャーナル部６ｄと後側ジャーナル部６ｂの二箇所にしか設けられていない。すなわち、従動側シャフト１６ｂは駆動側シャフト１６ａに対して前側ジャーナル部６ｅから中間ジャーナル部６ｃの間の距離に相当する１ジャーナル間の長さ分だけ短く設定されている。なお、反転ギア９ａ，９ｂは中間ジャーナル部６ｃ，６ｄの直ぐ前側に配置されている。
【００１５】
図８に示すように、従動側バランサシャフト１６ｂの短縮化に伴い、ロアバランサハウジング５ｂでも、従動側バランサシャフト１６ｂ寄りの前側部分３４が切り欠かれた、つまり省略された形状となっているのに対し、アッパバランサハウジング５ａに関しては、上記従動側バランサシャフト１６ｂ寄りの前側部分３４に、バッフルプレート部３０の一部３１及び対応するボルトボス部１１ｆが残された形状となっており、これによって、図１にも示すように、バッフルプレート部３０がオイルパン深底部２２の上方をほぼ全面にわたって覆うようになっている。つまり、従動側バランサシャフト１６ｂやロアバランサハウジング５ｂの小型化・軽量化を図りつつ、バッフルプレート部３０によりオイルパン深底部２２の上方をほぼ全面的に覆うことにより、このバッフルプレート部３０によって油面の揺動を効果的に抑制することができる。従って、従動側バランサシャフト１６ｂ及びロアバランサハウジング５ｂの一部が省略された部分３４では、アッパバランサハウジング５ｂにのみ締結ボルト１８ｆが挿通するボルトボス部１１ｆが形成されており、他の締結ボルト１８ａ〜１８ｅが挿通するボルトボス部１１ａ〜１１ｅはアッパバランサハウジング５ａ及びロアバランサハウジング５ｂの双方に形成されている。
【００１６】
上述したように、従動側シャフト１６ｂやこれに対応するバランサハウジング５の一部が省略されているものでは、小型・軽量である反面、前側ジャーナル部から中間ジャーナル部の間に相当する機関前寄りの部位が、中間ジャーナル部から後側ジャーナル部にかけての機関後寄りの部位に比して、剛性が相対的に低いという特有の問題がある。このため、前側ジャーナル部６ｅの変形に起因する様々な課題、例えば、駆動側シャフト１６ａの先端に設置されたバランサスプロケット７のアライメントのずれ、その噛合い音の増加、加工時における前側ジャーナル部６ｅの合せ面でのキャップシフト量の増加、このキャップシフト量の増加に起因するジャーナル部の寸法精度の低下・真円度の低下によるバランサシャフトの駆動フリクションの増加等の課題を生じるおそれが高い。
【００１７】
このような課題に対し、本実施例では、バランサハウジング５の中で従動側バランサシャフト１６ｂ側の前寄りの部位３４のうち、ロアバランサハウジング５ｂ側を大きく省略した形状としつつ、アッパバランサハウジング５ａ側ではバッフルプレート部３０の一部３１及びボルトボス部１１ｆを残すようにしており、これによって、図１に示すようにアッパバランサハウジング５ａが上面視でほぼ切欠部のない長方形をなすように構成されている。これにより、アッパバランサハウジング５ａの剛性、特に、上記の部位３４の近傍の剛性を有効に向上することができる。従って機関実動時の入力によるハウジング変形を十分に抑制することができ、また、バランサシャフトのジャーナル部６ａ〜６ｅの変形が抑制され、その真円度を良好に確保することができる。このため、バランサシャフト１６ａ，１６ｂを回転駆動する際のフリクションが低減され、ひいては機関出力を向上することができる。また、上述したように従動側バランサシャフト１６ｂ寄りの前側部位３４の近傍の強度・剛性を良好に確保できることから、バランサ駆動スプロケット７のアライメントの低下を抑制し、チェーン８との噛合い音を低減することができる。更に、互いに噛み合うバランサシャフトの反転ギア９ａ，９ｂのアライメントを良好に保ち、そのギア音を低減することができる。加えて、バッフルプレート部３０をアッパバランサハウジング５ａに一体成形することによって、このアッパバランサハウジング５ａの放射系面剛性が向上し、反転ギア９ａ，９ｂによる噛合い音や歯打ち音の外部への放射を抑制し、機関静粛性を高めることができる。
【００１８】
なお、オイルパン浅底部２３の底面２４は、規定油面２５よりも機関上方に設定されており、バッフルプレート部３０は、浅底部２３の底面２４とほぼ同等の高さ、より具体的には底面２４よりも僅かに機関上方に配置されている。そして、バッフルプレート部３０が浅底部２３を除く深底部２２の上方全体を覆うように設定されており、図１にも示すようにバッフルプレート３０の最後部とオイルパン浅底部２３の底面２４とが僅かな隙間を隔てて近接して配置されている。
【００１９】
次に、この実施例の特徴的な構成及びその作用効果について列記する。但し、本発明は、参照符号を付した実施例の構成に限定されるものではなく、その趣旨を逸脱しない範囲で、種々の変形・変更を含むものである。
【００２０】
（１）内燃機関のクランクシャフト３の下方に配置されるバランサ１が、気筒列方向に沿って互いに平行に配置され、クランクシャフト３に連動して回転する２本のバランサシャフト１６ａ，１６ｂと、これらバランサシャフト１６ａ，１６ｂを回転可能に支持するバランサハウジング５と、を有する。バランサハウジング５のアッパバランサハウジング５ａに、オイルパンの機関前寄りに配置される深底部２２の上方を覆うように機関水平方向に沿う薄膜状のバッフルプレート部３０が一体的に形成されている。
【００２１】
仮にバランサハウジングに上記のバッフルプレート部３０が設けられていないと、オイルパンの開口面積（シリンダブロックヘのシール面）、特に深底部２２に占めるバランサハウジングの水平方向の面積が小さく、深底部２２の上方をバランサハウジングで塞ぎきれない部分から、クランクシャフトの回転により発生する風圧、圧力変動によって、オイルパン内に貯留される機関油の油面の撹拌による回転抵抗が増加し、機関出力の低下を招いたり、油中にエアレーションが発生して油圧低下や潤滑不良を招くおそれがある。これに対して本実施例では、バランサハウジング５に一体的に形成されるバッフルプレート部３０によりオイルパン深底部２２の上方を覆うようにしており、このようなバランサハウジング５によって、クランクシャフト３の回転による油面撹拌での回転抵抗増加や油中のエアレーションの発生を効果的に低減・回避することができ、機関出力、燃費性能及び潤滑性能等の向上を図ることができる。
【００２２】
また、バッフルプレート部３０をアッパバランサハウジング５ａに一体的に形成しているために、別体のバッフルプレートを固定する場合に比して、部品点数が少なくてすみ、コスト低下や作業工数の低減化を図ることができる。更に、別体のバッフルプレートの追加やオイルパンの浅底化といったオイルパン側での対策が不要になり、オイルパン側の設計の自由度が高くなるので、油量・油面への制限が緩和される。このため、例えば上記実施例のように深底部２２を機関前後方向に十分に大きく確保することによって、機関全高の増加を招くことなく油蓄容積を拡大して油面を下げることができるので、クランクシャフト回転による油面撹拌の影響が更に抑制される。
【００２３】
（２）バランサ１が、内燃機関の回転起振力の中心２７と略同一の機関前後方向位置にバランサウエイト１９ａ，１９ｂの回転起振力の中心２６を配置した、いわゆるセンターバランサである。より具体的には、４気筒直列内燃機関の場合、機関前後方向中央に配置される＃２シリンダと＃３シリンダの間の主軸受部２８の直下位置に、バランサウエイト１９ａ，１９ｂが配置されている。このため、図４に示すように、バランサ１が機関前部より機関中心２７を越えて機関後方側へ延在するかたちとなり、オイルパンの開口面積に対してバランサハウジング５の占める面積を十分に大きく確保することができる。より具体的には、＃１シリンダから＃３シリンダの途中までの幅広い領域にわたって配置されるオイルパン深底部２２の上方に、バランサハウジング５をほぼ過不足なく延在させることができる。
【００２４】
仮にバランサウエイト中心（起振力中心）が機関中心に対して機関前方側へ偏心しているフロントオフセット式のバランサの場合、バランサハウジングの全長が短く、かつ、機関前方側に偏って配置されるため、オイルパン開口面積に対するバランサハウジングの占有面積が小さく、このため、オイルパン深底部の上方を塞ぐために別体のバッフルプレートを後付けしたり、オイルパン浅底部を拡大する必要があり、オイルパンの設計自由度の低下、車両レイアウトヘの制限、浅底化によるオイル蓄容積減による油量・油面高さの制限といった問題を生じてしまう。
【００２５】
（３）バランサハウジング５には、バランサシャフト１６ａ，１６ｂの周囲に配置され、機関上下方向に沿う複数のボルトボス部１１ａ〜１１ｆが一体的に形成されている。これらボルトボス部１１ａ〜１１ｆの外周にバッフルプレート部３０が一体的に接続しており、かつ、バッフルプレート部３０の機関幅方向最外縁部上にボルトボス部１１ａ〜１１ｆの機関幅方向最外周部が配置されている。つまり、バッフルプレート部３０の機関幅方向最外縁部が複数のボルトボス部１１ａ〜１１ｆの機関幅方向最外周部を結ぶように設定されており、ボルトボス部１１ａ〜１１ｆに対して機関幅方向に飛び出したり凹んだりしていない。これによって、バッフルプレート部３０及びボルトボス部１１ａ〜１１ｆの双方の剛性が有効に高められる。つまり、バッフルプレート部３０によって複数のボルトボス部１１ａ〜１１ｆの上部が連結されることによって、ボルトボス部１１ａ〜１１ｆの剛性が高められるとともに、板状をなすバッフルプレート部３０の幅方向最外縁部に沿って、肉厚である複数のボルトボス部１１ａ〜１１ｆが適宜間隔毎に配置されるため、このバッフルプレート部３０の放射系面剛性を著しく向上することができる。
【００２６】
特に上記実施例では、バッフルプレート部３０が機関上下方向に延びるボルトボス部１１ａ〜１１ｆの中でもブロックロア１５に近い機関上方側の位置で接続しているので、バランサ１とブロックロア１５とのボルト締結時における望ましくない変形、いわゆる口開き変形に対する剛性を効果的に向上することができる。
【００２７】
仮にバッフルプレート部が機関幅方向に関してボルトボス部１１ａ〜１１ｆよりも側方へ飛び出していると、この飛び出した部分が上述したような剛性向上に実質的に寄与せず、強度的には無駄な部分となる。一方、仮にバッフルプレート部が機関幅方向に関してボルトボス部１１ａ〜１１ｆよりも幅方向内側に引込んでいると、剛性が低下するとともに、この引込んだ部分ではバッフルプレートとしての機能が得られず、バッフルプレートとしての所期の効果が得られない。
【００２８】
（４）バッフルプレート部３０が、最も機関後側に位置するボルトボス部１１ａ，１１ｂよりも更に機関後方側へ延びる後側延長部３２を有している。この後側延長部３２によって、上述した実施例のように深底部２２が機関中心２７よりも更に機関後側まで延在している場合であっても、深底部２２の上方全体をバッフルプレート部３０によって覆うことができる。
【００２９】
（５）図５にも示すように、バランサハウジング５にはバランサシャフト１６ａ，１６ｂの外周を囲う略円筒形のシャフト収容部２ａ，２ｂが形成されている。そして、バッフルプレート部３０が、シャフト収容部２ａ，２ｂの頂部より機関幅方向最外縁部まで平坦に延びる天板部３３を有している。つまり、シャフト収容部２ａ，２ｂの中で最も高い位置である頂部から機関幅方向外側へバッフルプレート部３０の天板部３３を延在させている。このような構成によって、バッフルプレート部３０を油面２５よりも機関上方へ容易に配置させることができ、所期の油面撹拌防止効果を得ることができる。
【００３０】
（６）アッパバランサハウジング５ａには、上記天板部３３の下方でシャフト収容部２ａ，２ｂとの間に油排出窓１０ａ，１０ｂが形成されており、この油排出窓１０ａ，１０ｂを通してシャフト収容部２ａ，２ｂ内部の機関油が排出されるようになっている。ここで、シャフト収容部２ａ，２ｂの上方には、機関幅方向最外縁部まで平坦に延びる天板部３３が延在しているため、油排出窓１０ａ，１０ｂから排出される機関油が飛散したり回転するクランクシャブト３等と干渉することを確実に回避することができる。従って、クランクシャフト３の回転抵抗が軽減されるとともに、オイルパンやクランクケース内部のオイルミストの発生を低減することができる。
【００３１】
（７）バランサハウジング５には、２つのシャフト収容部２ａ，２ｂの間に油落とし穴１３ａ，１３ｂが形成されている。従って、バランサハウジング５の上面を構成するバッフルプレート部３０上に滴下する油を油落とし穴１３ａ，１３ｂを通して良好にオイルパン深底部２２の底部側へ戻すことができる。特に、図６にも示すように、２つのシャフト収容部２ａ，２ｂの間の下方へ滑らかに窪んだ部分に油落とし穴１３ａ，１３ｂが形成されているので、バッフルプレート部３０上に機関油が溜まることがなく、かつ、回転するクランクシャフト３の風圧等によって機関油が落とし穴１３ａ，１３ｂへ良好に導かれるために、油落とし性にも優れている。
【図面の簡単な説明】
【００３２】
【図１】本発明の一実施例に係る内燃機関の振動低減装置のバランサ及びオイルパンアッパを組立状態で示す上面図。
【図２】上記実施例のクランクシャフト、ブロックロア及びバランサを組立状態で示す正面図。
【図３】図２の構成での斜視図。
【図４】図２や図３の構成に更にオイルパンアッパ及びブロックアッパを追加した組立状態を示す図５のＩＶ−ＩＶ線に沿う断面図。
【図５】図４のＶ−Ｖ線に沿う断面図。
【図６】上記実施例のバランサを単体で示す斜視図。
【図７】図６のＶＩＩ−ＶＩＩ線に沿う断面図。
【図８】図６のＶＩＩＩ−ＶＩＩＩ線に沿う断面図。
【符号の説明】
【００３３】
１…バランサ
２ａ，２ｂ…シャフト収容部
３…クランクシャフト
４…オイルパン（アッパ）
５…バランサハウジング
５ａ…アッパバランサハウジング
１０ａ，１０ｂ…油排出窓
１１ａ〜１１ｆ…ボルトボス部
１３ａ，１３ｂ…油落とし穴
１６ａ，１６ｂ…バランサシャフト
１８ａ〜１８ｆ…バランサ締結ボルト
２２…オイルパン深底部
２５…規定油面
３０…バッフルプレート部
３２…後側延長部
３３…天板部
【図１】
2006329064.tif 000003
【図２】
2006329064.tif 000004
【図３】
2006329064.tif 000005
【図４】
2006329064.tif 000006
【図５】
2006329064.tif 000007
【図６】
2006329064.tif 000008
【図７】
2006329064.tif 000009
【図８】
2006329064.tif 000010